(57)【要約】【課題】信頼性が高く、鮮明な線状が得やすい線状発光体を提供すること。および、この線状発光体を誘導加熱コイルの外周部に設け、対応する加熱部の加熱範囲を明確に表示することができる誘導加熱調理器を提供すること。【解決手段】光を導光する断面が長方形の導光体１２と、導光体１２の長さ方向に設けた光源１１とを備え、長方形の一辺を光を外部に放射する発光面１４とし、発光面１４に対向する辺に光反射層１３を設ける構成とした線状発光体１０を有し、線状発光体を複数個、導光体１２が同心円状になるように設けたことにより、天板上に誘導加熱コイル２２に対応して鮮明な図形を描くと共に、表示パターンを多くし加熱部を視覚的に解りやすくした誘導加熱調理器とすることができる。【選択図】図１１
2004265881.tif 000002
【特許請求の範囲】
【請求項１】
本体ケースの上面に設けた透光性の天板と、前記天板上に設けた被加熱調理容器を載置して誘導加熱により加熱する加熱部と、前記天板の下方に前記加熱部に対応して設けた誘導加熱コイルと、前記誘導加熱コイルの外周部に設けられるとともに、前記誘導加熱コイルの一部または全周にわたって前記天板方向に発光する線状発光体とを備え、前記線状発光体は、光を導光する断面が四辺形の導光体と、前記導光体の長さ方向の少なくとも一端に設けた光源とを備え、前記導光体は、前記光源から前記光を入射し、前記断面で前記四辺形の一辺となる面を、前記光を外部に放射する発光面とし、前記発光面に対向する面に光反射層を設け、前記線状発光体を複数個、前記導光体が同心円状になるように設けた誘導加熱調理器。
【請求項２】
本体ケースの上面に設けた透光性の天板と、前記天板上に設けた被加熱調理容器を載置して誘導加熱により加熱する加熱部と、前記天板の下方に前記加熱部に対応して設けた誘導加熱コイルと、前記誘導加熱コイルの外周部に設けられるとともに、前記誘導加熱コイルの一部または全周にわたって前記天板方向に発光する線状発光体とを備え、前記線状発光体は、光を導光する断面が四辺形の導光体と、前記導光体の長さ方向の少なくとも一端に設けた光源とを備え、前記導光体は、前記光源から前記光を入射し、前記断面で前記四辺形の一辺となる面を、前記光を外部に放射する発光面とし、前記発光面に対向する面に光反射層を設けるとともに、前記導光体及び前記光源を複数有し、前記導光体の長さ方向に沿って前記導光体間に光隔離層を設けることにより複数の発光面を設け、各導光体ごとに光源を配した誘導加熱調理器。
【請求項３】
請求項１または２に記載の線状発光体において、導光体の発光面に対向する面に光反射層を設ける構成に代え、前記発光面に対向する面に光を反射する反射材を重ね合わせる構成とした誘導加熱調理器。
【発明の詳細な説明】
【技術分野】
【０００１】
本発明は、線状発光体を用いた誘導加熱調理器に関する。
【背景技術】
【０００２】
従来、この種の線状発光体としては、断面円形の柱状のものがあった（例えば、特許文献１参照）。図１４は、前記特許文献１に記載された線状発光体を示す。
【０００３】
図１４において、線状発光体１は光源２と光源２からの光を導光する断面円形の柱状の導光体３とから構成されている。そして、導光体３の側面にその長さ方向に沿って、少なくとも１本の帯状の光反射層４が印刷により設けられている。この構成によって、光源２から導光体３に入射した光は導光体３を進行する間に、光反射層４によって光の一部が反射し、光反射層４と対向する導光体３の部分より外部へ光を放射することによって、線状の発光が得られるということが開示されている。
【０００４】
また、誘導加熱調理器は加熱コイルに高周波電流を流し、高周波磁界を発生させ、加熱コイルと磁気結合している鍋（負荷）に渦電流によるジュール熱を発生させ、鍋自体を発熱させて調理を行う調理器である。そのため炎が見えるガス調理器や加熱部が赤熱する電気ヒータと違い加熱部を視覚的に捉えることが出来ないという問題があった。
【０００５】
この課題を解決するために、加熱コイルの外周に環状に複数個の加熱表示用の発光ダイオードとその外側近傍に火力表示用の発光ダイオードとを設け、加熱コイルに通電し加熱すると加熱表示用の発光ダイオードが光り加熱状態が分かるようにしている（例えば、特許文献２参照）。
【０００６】
さらに、図１５に示すように、誘導加熱コイルの下方に、扇状の導光体片５と扇状のように設けた光源６とで発光体の１ブロックとし、これらのブロックを組合わせて円環状の導光体を構成し、誘導加熱コイルに通電し加熱すると光源６が点灯し、円環状の導光体の外周部発光面７で発光し加熱状態が分かるようにしている（例えば、特許文献３参照）。
【特許文献１】特開２０００−２２２９０７号公報
【特許文献２】特開平７−３１２２７９号公報
【特許文献３】特開２００１−１６０４８３号公報
【発明の開示】
【発明が解決しようとする課題】
【０００７】
しかしながら、前記従来の線状発光体の構成では、円柱の導光体３の側面に光反射層４を設けているために、光反射層４から反射した光が外部に放射するとき導光体３の放射面が凸状になっており、光が拡散し鮮明な線状が得にくいという問題があった。
【０００８】
また、従来の誘導加熱調理器は誘導加熱コイルの周辺に発光手段として、例えば電球を配した形なので、誘導加熱コイルに対応する加熱部を表示するのに複数個の電球が必要であった。また、電球の数を限定すると点表示なので全体が分かりにくくなるという問題があった。
【０００９】
さらに、導光体片５と電源６とを１ブロックとし、これらを円環状に組合わせたものは構成が複雑となり、価格が高くなるという問題があった。
【００１０】
本発明は前記従来の課題を解決するもので、信頼性が高く、鮮明な線状が得やすい線状発光体を提供するとともに、この線状発光体を誘導加熱コイルの外周部に設け、対応する加熱部の加熱範囲を明確に表示することができる誘導加熱調理器を提供することを目的とする。
【課題を解決するための手段】
【００１１】
前記従来の課題を解決するために、本発明の誘導加熱調理器は、本体ケースの上面に設けた透光性の天板と、前記天板上に設けた被加熱調理容器を載置して誘導加熱により加熱する加熱部と、前記天板の下方に前記加熱部に対応して設けた誘導加熱コイルと、前記誘導加熱コイルの外周部に設けられるとともに、前記誘導加熱コイルの一部または全周にわたって前記天板方向に発光する線状発光体とを備え、前記線状発光体は、光を導光する断面が四辺形の導光体と、前記導光体の長さ方向の少なくとも一端に設けた光源とを備え、前記導光体は、前記光源から前記光を入射し、前記断面で前記四辺形の一辺となる面を、前記光を外部に放射する発光面とし、前記発光面に対向する面に光反射層を設け、前記線状発光体を複数個、前記導光体が同心円状になるように設ける構成とした。そして、光反射層から反射した光が外部に放射するとき導光体の放射面が平面になっているため、光反射層からの反射光は外部に直進して放射することになり、拡散しにくくなる。そのため鮮明な線状発光が得られる。これにより、簡単な構成で、誘導加熱コイルの一部または全周にわたって発光するので天板上に加熱部を明確に表示することができる。また、誘導加熱コイルの外周部に同心円状に線状発光体を複数個設け、前記線状発光体の発光面と天板とを対向させる構成とすることにより、機器の機能、使用状態、火力の大きさ、あるいは使用時間などにより、導光体ごとに光源の種類、色、大きさあるいは明るさを変えたり、点灯、点滅あるいは消灯を行ったりすることができるので、表示パターンを多くし、加熱部をより解りやすく視覚的に捉えることができる。
【発明の効果】
【００１２】
以上述べたように、本発明によれば、信頼性が高く、鮮明な線状が得やすい線状発光体を得ることができる。また、誘導加熱調理器の天板上に加熱部の加熱範囲を明確に表示することができる。また、その表示パターンを多くし、加熱部をより解りやすく視覚的に捉えることができる。
【発明を実施するための最良の形態】
【００１３】
請求項１に記載の発明は、本体ケースの上面に設けた透光性の天板と、前記天板上に設けた被加熱調理容器を載置して誘導加熱により加熱する加熱部と、前記天板の下方に前記加熱部に対応して設けた誘導加熱コイルと、前記誘導加熱コイルの外周部に設けられるとともに、前記誘導加熱コイルの一部または全周にわたって前記天板方向に発光する線状発光体とを備え、前記線状発光体は、光を導光する断面が四辺形の導光体と、前記導光体の長さ方向の少なくとも一端に設けた光源とを備え、前記導光体は、前記光源から前記光を入射し、前記断面で前記四辺形の一辺となる面を、前記光を外部に放射する発光面とし、前記発光面に対向する面に光反射層を設け、前記線状発光体を複数個、前記導光体が同心円状になるように設ける構成とすることにより、光反射層から反射した光が外部に放射するとき導光体の放射面が平面になっているため、光反射層からの反射光は外部に直進して放射することになり、拡散しにくくなる。そのため鮮明な線状発光が得られる。これにより、簡単な構成で、誘導加熱コイルの一部または全周にわたって発光するので天板上に加熱部を明確に表示することができる。また、誘導加熱コイルの外周部に同心円状に線状発光体を複数個設け、線状発光体の発光面と天板とを対向させる構成とすることにより、機器の機能、使用状態、火力の大きさ、あるいは使用時間などにより、導光体ごとに光源の種類、色、大きさあるいは明るさを変えたり、点灯、点滅あるいは消灯を行ったりすることができるので、表示パターンを多くし、加熱部をより解りやすく視覚的に捉えることができる。
【００１４】
請求項２に記載の発明は、本体ケースの上面に設けた透光性の天板と、前記天板上に設けた被加熱調理容器を載置して誘導加熱により加熱する加熱部と、前記天板の下方に前記加熱部に対応して設けた誘導加熱コイルと、前記誘導加熱コイルの外周部に設けられるとともに、前記誘導加熱コイルの一部または全周にわたって前記天板方向に発光する線状発光体とを備え、前記線状発光体は、光を導光する断面が四辺形の導光体と、前記導光体の長さ方向の少なくとも一端に設けた光源とを備え、前記導光体は、前記光源から前記光を入射し、前記断面で前記四辺形の一辺となる面を、前記光を外部に放射する発光面とし、前記発光面に対向する面に光反射層を設けるとともに、前記導光体及び前記光源を複数有し、前記導光体の長さ方向に沿って前記導光体間に光隔離層を設けることにより複数の発光面を設け、各導光体ごとに光源を配した構成とすることによって、構成部品点数を減らし、コストを下げるとともに、機器の機能、使用状態、火力の大きさ、あるいは使用時間などにより、導光体ごとに光源の種類、色、大きさあるいは明るさを変えたり、点灯、点滅あるいは消灯を行ったりすることができるので、表示パターンを多くし、加熱部を視覚的により解りやすく捉えることができる。
【００１５】
請求項３に記載の発明は、特に、請求項１または２に記載の線状発光体において、導光体の発光面に対向する面に光反射層を設ける構成に代え、前記発光面に対向する面に光を反射する反射材を重ね合わせる構成とすることにより、反射材で反射した光を発光面より外部に照射することができる。また、反射材の色を変えることで、発光面から外部へ照射する色を選ぶことができる。
【００１６】
（実施の形態１）
以下、本発明の一実施の形態について図面を用いて説明する。
【００１７】
図１は本発明の実施の形態１における線状発光体１０の斜視図である。
【００１８】
図１において、１１は光源であり、電球やＬＥＤ（発光ダイオード）などを用いる。特に発光ダイオードは発光色が色々あり目的に応じて選択できるので好ましい。１２は光源１１より入射した光を導光する導光体であり、アクリル樹脂、ポリカーボネイト、ポリアミド、ポリイミドなどの合成樹脂、またはガラスなどの透明な材料が用いられる。図１では断面が長方形である四辺形を用いた場合の例である。１３は導光体１２の１辺に設けられた光反射層である。この光反射層は表面を研磨するなどの機械的手段、または表面をエッチングするなどの化学的手段により、表面に凹凸等を設けることにより形成される。またシリコーンゴムなどの接着剤の層、または粘着テープを貼り付けるなどによる粘着層を設けることにより光反射層を得ることが出来る。また、金属、あるいは、酸化アルミニウム、酸化ケイ素、酸化チタンなどの金属酸化物の粒子を含んだ膜を形成することにより得られる。
【００１９】
以上のように構成された線状発光体１０について、以下その動作、作用について説明する。
【００２０】
光源１１より入射した光は導光体１２中を導光する。そして、光の一部は光反射層１３により反射し発光面１４より外部に放射する。このとき導光体１２は四辺形で構成され、光反射層１３はその一辺に設けられているので、ここで反射した光は光反射層１３に対応する辺である発光面１４より外部に発光する。発光面１４は平面であるため発光面からの光の放射は平行となりほとんど拡散しない。このため導光体の光の進行方向に沿って鮮明な線状の発光を得ることが出来る。
【００２１】
以下、光反射層の効果について図２の導光体の斜視図を用いて説明する。図２において、導光体は巾ｄ３ｍｍ、高さｈ１５ｍｍの長方形の断面を有するポリカーボネイトを用い、それに光反射層１３としてシリコーンゴム（接着剤）を用いた。そして光反射層の効果は、光源から一定の距離ｌ１００ｍｍの地点の照度を測定することにより行った。光反射層１３を設けない場合の照度は０．７ルックスであり、発光面１４に対向する面のみに光反射層１３を設けた場合の照度は１．７９ルックスであった。また、発光面１４以外のすべての面に光反射層１３を設けた場合の照度は１．９７ルックスであった。このことより発光面１４に対抗する面に光反射層１３を設けることにより著しく光りの放射が増えることが分かる。また、発光面１４に対向する面以外に光反射層１３を設けてもそれほど効果が無いことが分かる。なお、いずれの場合においても鮮明な線状発光が得られた。
【００２２】
以上基本構成について説明したが導光体を下記に説明するようにするとさらに優れた線状発光体とすることができる。
【００２３】
すなわち、光源１１から遠い位置まで光が届くようにするためには発光面１４以外の面に導光体より光の屈折率の小さい層を設けると、光の透過損失が少なくなるため、遠方まで届くようになる。
【００２４】
また、光反射層１３の反射率が部分ごとに異なるようにすることにより、発光面１４からの光の放射が異なり光の強弱の模様をつけることができる。
【００２５】
また、発光面１４とそれに対抗する面とを機械的または化学的手段等により鏡面とすると、乱反射により光が外部に漏洩することが少なくなり、光が遠くまで届くようになる。これはどちらか一方の面を行うことでも効果がある。
【００２６】
また、発光面１４とそれに対向する面を機械的または化学的手段等により光を乱反射する乱反射面とすることにより、導光体中を伝播する光を乱反射させ、発光面１４より放射する光の量を多くすることができ鮮明な線状発光を得ることができる。
【００２７】
また、導光体１２中を伝播する光の進行方向に対して、発光面１４が平行に位置する構成とした。この構成にすることにより、光源１１の指向性に左右されることなく、また光源からの直進光が伝播中に損失することなく届くので、導光体１２の発光面１３をより遠くまで発光させることができる。
【００２８】
また、図２に示すように短辺ｄと長辺ｈを有する四角形（長方形）からなる導光体１２において、短辺ｄを発光面１４とすると、光源１１の光をより遠くまで届くようにすることができる。また、短辺ｄに比べ長辺ｈの長さを長くするほど光をより遠くまで届くようにすることができる。実験例を（表１）に示す。
【００２９】
【表１】
2004265881.tif 000003
【００３０】
（表１）は光源から５０ｍｍの地点が０．７ルックスになるようにＬＥＤの電源電圧を調整し、光源からの距離が１００ｍｍおよび１５０ｍｍ地点の照度を測定した。このとき、導光体１２の発光面１４である短辺ｄを３ｍｍとし、長辺ｈを５、１０、１５ｍｍに変えておこなった。また、ＬＥＤの視野角も変えて行った。表に見られるようにＬＥＤの視野角に関係なく、長辺ｈが大きいほど光が遠くにまで良く伝播するのが分かる。これは、発光面１４から放射して失われる光よりもより多くの光が遠方に送られるためと考えられる。
【００３１】
また、図２に示すように、導光体１２の厚みｈを光反射層１４の厚みｔより厚くすると、導光体１２中の伝播する光の損失を低減し、光源の光を有効に利用して遠くまで発光面１４を光らせることができる。
【００３２】
また、線状発光体は線状に発光させたものである。したがって、棒状に限定されるものでなく、円環状にしたり、棒状の線状発光体を組合わせることにより三角形または多角形にしたりすることができる。その他、任意の形状に加工した線状発光体を得ることができる。特に誘導加熱調理器に円環状の線状発光体を用いると誘導加熱コイルの外周部を明示でき取り扱いが容易となる。
【００３３】
次に、光源について説明する。導光体１２の光の放射強度すなわち、輝度は光源１１から遠ざかるにしたがって低下する。したがって、導光体１２の照射強度をほぼ均一にするには導光体１２の途中で光を補充する必要がある。通常全長が５０〜７０センチ程度の線状発光体であれば図３に示すように線状発光体の両側に光源１１を設ければほぼ均一に発光する線状発光体とすることができる。図３（ａ）は棒状の線状発光体の場合，（ｂ）は円環状の線状発光体の場合を示す。
【００３４】
図４は円環状の線状発光体に光を補充する他の例を示したもので、図４（ａ）は線状発光体の平面図であり、図４（ｂ）は別の線状発光体の斜視図である。図に示すように導光体１２の一部に導光体１２と同じ材料からなる光導入部１２ａを設けている。これにより光を補充しほぼ均一に発光する線状発光体を得ることができる。
【００３５】
また、表１に示すように光源としてＬＥＤを用いた場合、視野角により光が遠くに届く量が異なってくる。したがって、できるだけ線状発光体の発光を均一にするためにはＬＥＤの視野角を３０〜６０度以内とするのが実用的である。
【００３６】
なお、本発明でいう均一発光とは、光学的に均一というのでなく、見た目、あるいは実際の感じがほぼ均一であることをいう。
【００３７】
以上の説明では、導光体１２に光反射層１３を一体に設けた場合について説明したが、導光体と光反射層とを別々に設けこれらを重ね合わせて一体として用いてもほぼ同様の効果が得られる。また、図４（ｃ）のように断面コの字状のケースに導光体１２を挿入したり、図４（ｄ）のように、導光体１２の光反射層との合わせ面を円弧で形成し、それに光反射層１３を挿入したりして、少なくとも発光面に対応するケースの面に光反射材を設けるようにしてもよい。これらの場合においても、前記説明したような種々の加工を導光体に行っても前記とほぼ同様の効果が得られるのは勿論である。
【００３８】
（実施の形態２）
以下、本発明の実施の形態２について図面を参照して説明する。なお、実施の形態１と同一構成要素には同じ符号を付し、その説明は省略する。
【００３９】
なお本実施の形態でいう誘導加熱コイルの外周部とは投影面で導光体が誘導加熱コイルの外周にあることを意味するものであって、高さ方向の位置関係を指定したものではないが、本実施の形態では導光体は誘導加熱コイルの外周部にあるとして説明する。
【００４０】
図５は本実施の形態に用いる誘導加熱調理器の外観斜視図である。図５に示すように本体ケース１５の上面に透光性の天板１６が設けられている。この天板１６には誘導加熱によって鍋を加熱し被調理物を調理する加熱部１７と誘導加熱では使えない鍋を用いて調理するラジエントヒータ１８とが設けられている。また本体ケース１５の前方側面には焙焼器１９と操作部２０とが設けられている。
【００４１】
図６は図５の加熱部１７の一方の断面を示す要部断面図である。図において天板１６の加熱部１７上に調理鍋２１が載置される。この調理鍋２１を加熱するために天板１６の下部の加熱部１７すなわち調理鍋に対応する位置に誘導加熱コイル２２を設けている。さらに天板１６の下方に導光体１２を設けている。そして、この導光体１２の大きさを誘導加熱コイル２２の外周部を囲う程度の大きさにすることにより導光体１２よりの発光が加熱コイルに妨げられることなく天板１６に達し、天板１６上に加熱部１７の範囲を明確に表示するようにすることができる。光源から発した光が導光体１２を伝播する。２３は制御部で調理にあたっての火力の調節や光源１１の点滅などの制御を行う。
【００４２】
図７は実施の形態１で説明した線状発光体の平面図である。本実施の形態では、断面が長方形である導光体１２を円環状とし、その両端に光源１１を一個ずつ、計２個を配した構成としている。また、円環状の内径は誘導加熱コイル２２の外形よりやや大きくしてある。なお、このような形状の導光体は一般的には樹脂成型により容易に得られる。
【００４３】
光源１１から発した光は導光体１２を直進または反射を繰り返しながら伝播していく。この伝播していく過程で天板１６方向に光を放射し、その強度は減衰していく。このように光は導光体１２を伝播しながら天板１６方向に光を放射していくので、天板１６には導光体１２の上面形状と同じ形状の図形が表示される。図７に示す形状の線状発光体を用いた場合は円環が表示されることになる。特に、本実施の形態では断面が四角形の導光体を用いているため、光が拡散するのを抑えることができ鮮明な図形を表示できる。
【００４４】
図８は冷却風と線状発光体との関係を説明するための模式図である。図において、誘導加熱コイル２２を冷却するための冷却風Ａは、誘導加熱コイル２２の下部より取り入れるのが効率的である。冷却風を発生する送風ファン２４が１つで誘導加熱コイル２２を２個有する場合は、冷却風Ａは第１の誘導加熱コイル２２ａの下部より入り、この第１の誘導加熱コイル２２ａを冷却した後、隣の第２の誘導加熱コイル２２ｂを冷却した後外部に排出する風路が設けられる。このとき、後から冷却される第２の誘導加熱コイル２２ｂの光源１１は温度の高くなった冷却風Ａに曝される恐れがある。特にＬＥＤなどのような半導体発光素子を光源１１として用いていると、その寿命のみならず、その発光特性は周囲の温度の影響を受ける。そこでこのような場合、図９に示すように後で冷却される第２の誘導加熱コイル２２ｂに対応して設けられた線状発光体１０の光源１１を風上に設けるようにする。これにより冷却風Ａの温度の影響を低減することができる。
【００４５】
図１０は誘導加熱コイルの底面に放射状に設けたフェライト２５と線状発光体１０との位置関係を示す模式図である。フェライトは磁束が漏洩するのを低減するために用いられる。図に示すように、光源１１を放射線状に設けたフェライトの延長線上を避け、延長線上の間に設けるようにする。これは放射線状の延長線上はあまり磁束が低減されておらず、光源１１が磁束の影響を受けやすいからである。
【００４６】
なお、天板１６には結晶化ガラス等が用いられる。通常内部が見えないようにするため天板１６には着色が施されている。この着色の方法としては、結晶化ガラスそのものを着色する場合と、結晶化ガラスに塗装を施し着色する場合とがある。本実施の形態による線状発光体を用いて天板１６上に図形を表示した場合、結晶化ガラスそのものに着色するよりも、耐熱透光性塗料を塗布して得たものの方が明るい図形が得られた。また、耐熱透光性塗料は光の波長に合わせて、選択することができ、異なる色を天板状に透過させることができる。
【００４７】
（実施の形態３）
以下、本発明の実施の形態３について述べる。なお、実施の形態１および２と同一構成要素には同じ符号を付し、その説明は省略する。
【００４８】
図１１は本実施の形態に用いる発光体２６である。この発光体２６は実施の形態１の導光体１２を３本用いて同心円状に環状一体とし、それぞれの導光体１２に少なくとも１つの光源（図示せず）を配し、誘導加熱コイルの外周部に配するようにしたものである。これによって、機器の機能、使用状態、火力の大きさ、あるいは使用時間などにより、導光体ごとに光源の種類、色、大きさあるいは明るさを変えたり、点灯、点滅あるいは消灯を行ったりすることができるので、表示パターンを多くし、加熱部を視覚的により解りやすく捉えることができる。
【００４９】
（実施の形態４）
以下、本発明の実施の形態４について述べる。なお、実施の形態１および２と同一構成要素には同じ符号を付し、その説明は省略する。
【００５０】
図１２は本実施の形態に用いる発光体２７である。この発光体２７は実施の形態１の線状発光体１０を４本用い、円環状に一体とし、誘導加熱コイルの外周部に配するようにしたものである。これによって、機器の機能、使用状態、火力の大きさ、あるいは使用時間などにより、導光体ごとに光源の種類、色、大きさあるいは明るさを変えたり、点灯、点滅あるいは消灯を行ったりすることができるので、表示パターンを多くし、加熱部を視覚的により解りやすく捉えることができる。
【００５１】
（実施の形態５）
以下、本発明の実施の形態５について述べる。なお、実施の形態１および２と同一構成要素には同じ符号を付し、その説明は省略する。
【００５２】
図１３は本実施の形態に用いる発光体２８である。この発光体２８は実施の形態１の導光体１２を３本用い、各導光体間に長さ方向に沿って光隔離層２９を設け、これを円環状とし、各導光体１２に光源（図示せず）を配し誘導加熱コイルの外周部に配するようにしたものである。これにより構成を簡単にし、機器の機能、使用状態あるいは使用時間などにより、導光体ごとに光源の種類、色、大きさあるいは明るさを変えたり、点灯、点滅あるいは消灯を行ったりすることができるので、表示パターンを多くし、加熱部を視覚的に捉えることができる。
【００５３】
なお、本実施の形態２〜５では誘導加熱コイル全周にわたって発光する場合について説明したが必要に応じて半周などの加熱コイルの一部であってもよいし、円環状でなく四角形などの他の図形を表示するようにしても良い。また、加熱コイル以外の箇所でも他の箇所と視覚的に区別したいところであっても構わない。
【００５４】
以上のように，本実施の形態に拠れば断面四角形の導光体を用いているので天板上に点や線でなく全体にわたって連続した鮮明な図形を描くことができる。しかも光源の使用数も最低限に抑えることができでコスト的にも安価にできる。
【産業上の利用可能性】
【００５５】
本発明にかかる誘導加熱調理器は、以上述べたように、信頼性が高く、鮮明な線状の発光が得られるので、誘導加熱調理器の天板上に加熱部の加熱範囲を表示する等の用途にも適用できる。
【図面の簡単な説明】
【００５６】
【図１】本発明の実施の形態１における線状発光体の斜視図
【図２】同線状発光体の導光体の斜視図
【図３】（ａ）同棒状の線状発光体の平面図（ｂ）同円環状の線状発光体の平面図
【図４】（ａ）同線状発光体の他の全体平面図（ｂ）同線状発光体の他の全体斜視図（ｃ）同線状発光体の他の部分斜視図（ｄ）同線状発光体の他の部分斜視図
【図５】本発明の実施の形態２における誘導加熱調理器の外観斜視図
【図６】同誘導加熱調理器の要部断面図
【図７】同誘導加熱調理器に用いる線状発光体の平面図
【図８】同誘導加熱調理器の要部模式図
【図９】同誘導加熱調理器の光源の位置を説明するための模式図
【図１０】同誘導加熱調理器のフェライトと線状発光体との位置関係を示す模式図
【図１１】本発明の実施の形態３における誘導加熱調理器の発光体の平面図
【図１２】本発明の実施の形態４における誘導加熱調理器の発光体の平面図
【図１３】本発明の実施の形態５における誘導加熱調理器の発光体の斜視図
【図１４】従来の線状発光体の斜視図
【図１５】従来の発光体の斜視図
【符号の説明】
【００５７】
１０  線状発光体
１１  光源
１２  導光体
１３  光反射層
１４  発光面
１５  本体ケース
１６  天板
１７  加熱部
２１  調理鍋（被加熱調理容器）
２２  誘導加熱コイル
２４  送風ファン
２５  フェライト
２９  光隔離層
【図１】
2004265881.tif 000004
【図２】
2004265881.tif 000005
【図３】
2004265881.tif 000006
【図４】
2004265881.tif 000007
【図５】
2004265881.tif 000008
【図６】
2004265881.tif 000009
【図７】
2004265881.tif 000010
【図８】
2004265881.tif 000011
【図９】
2004265881.tif 000012
【図１０】
2004265881.tif 000013
【図１１】
2004265881.tif 000014
【図１２】
2004265881.tif 000015
【図１３】
2004265881.tif 000016
【図１４】
2004265881.tif 000017
【図１５】
2004265881.tif 000018